(57)【要約】【課題】所望の音響特性を維持しつつ、適切な防水効果を維持することができる電子機器を提供することを課題とする。【解決手段】携帯電話機１の固定部２は、フロントケース５ａの内部にシート部材１２を備える。シート部材１２は、音響孔１７が設けられた位置に対応させてスピーカユニット１５と外部ケースを形成するリアケース５ｂとの間に配置されている。シート部材１２の外周部には、第１の延長部材１４が取り付けられている。第１の延長部材１４の外周部表面１４１は取り付け部１３に取り付けられ、内周部裏面１４２はスピーカユニット１５に取り付けられる。第１の延長部１４と取り付け部１３との間には、両面テープ３１が介在している。また、第１の延長部１４とスピーカユニット１５との間にも、両面テープ１６が介在している。これにより、所望の音響特性を維持しつつ、適切な防水効果を維持することができる。【選択図】図４
2010109849.tif 000002
【特許請求の範囲】
【請求項１】
音響孔が設けられた外部ケースと、
前記音響孔が設けられた位置に対応させて前記外部ケース内に内蔵された音響ユニットと、
前記音響孔が設けられた位置に対応させて前記音響ユニットと前記外部ケースとの間に配置されるとともに、前記音響ユニットと重ねた状態で前記音響ユニットの外縁よりも外側まで覆うシート部材と、
当該シート部材の外周部に周状に設けられ、前記外部ケースに取り付けられた取り付け部と、
前記シート部材の前記音響ユニットと対向する側において前記取り付け部をその内周に向かって延長し、前記音響ユニットが取り付けられた延長部と、
を備えたことを特徴とする電子機器。
【請求項２】
前記延長部は、前記シート部材と前記音響ユニットとの間に介装された周状板体によって形成されたことを特徴とする請求項１記載の電子機器。
【請求項３】
前記延長部は、前記シート部材と前記音響ユニットとの間に介装された周状板体によって形成され、当該周状板体の外周部表面が前記取り付け部に取り付けられ、前記周状板体の内周部裏面が前記音響ユニットに取り付けられたことを特徴とする請求項１記載の電子機器。
【請求項４】
前記延長部は、板金により形成されたことを特徴とする請求項１乃至３のいずれか一項記載の電子機器。
【請求項５】
前記取り付け部は、緩衝材を備えたことを特徴とする請求項１乃至４のいずれか一項記載の電子機器。
【請求項６】
前記延長部と前記音響ユニットとの間に緩衝材を介在させたことを特徴とした請求項１乃至５のいずれか一項記載の電子機器。
【発明の詳細な説明】
【技術分野】
【０００１】
本発明は、電子機器に関する。
【背景技術】
【０００２】
スピーカユニット等の音響ユニットを内蔵した電子機器の外部ケースは、音響ユニットが放音したり集音したりするための音響孔を有している。外部ケース内には種々の電気回路等が内蔵されているため、音響孔を通じた水分の浸入を遮断し、電気回路等を保護する必要がある。従来、このような外部ケースへの水分の浸入を遮断し、内部の電子部品を保護する防水対策が施された提案が知られている（特許文献１参照）。
【０００３】
【特許文献１】特開平７−１３１３７５号公報
【発明の開示】
【発明が解決しようとする課題】
【０００４】
図８は、電子機器１００への水分の浸入を遮断する従来の防水対策の説明図である。図８は、防水対策を施した箇所を断面として説明している。
電子機器１００の外部ケース１０１は、音響孔１０２を有している。外部ケース１０１内には、音響孔１０２が設けられた位置に対応させて音響ユニット１０３が内蔵されている。また、外部ケース１０１と音響ユニット１０３との間に配置されるシート部材１０４を備えている。このシート部材１０４は、撥水シートである。このシート部材１０４は、音響孔１０２から外部ケース１０３内への水分の浸入を遮断する。
【０００５】
シート部材１０４の外周部には、外部ケース１０１に取り付けられる取り付け部１０５が周状に設けられている。この取り付け部１０５は、シート部材１０４の外周部にクッション材又は硬質材が張り合わされて形成されている。そして、この取り付け部１０５が外部ケース１０１の内面に密着するように取り付けられている。また、この取り付け部１０５には、音響ユニット１０３が取り付けられている。取り付け部１０５と音響ユニット１０３との間には、緩衝材となる両面テープ１０６が介在している。両面テープ１０６は、音響ユニット１０３の周囲の密閉性を高め、音響ユニット１０３における音漏れを抑制する。このような両面テープ１０６は、音響ユニット１０３が有する放音や集音のための孔が設けられた放音部１０３ａを塞がないよう音響ユニット１０３の外周に配置される。なお、両面テープ１０６に代えて、クッション材が用いられることもある。
【０００６】
シート部材１０４は、外部ケース１０１内への水分の浸入を遮断するものであるが、音響ユニット１０４が放音した音又は集音する音を減衰させる。このためシート部材１０４は、電子機器１００の所望の音響特性を維持するために、必要最低限の面積を有していなければならない。ここで、シート部材１０４に求められる必要最低限の面積は、音響ユニット１０３の音圧等の音響特性に応じた面積となる。シート部材１０４は、このような要求を有する。
【０００７】
その一方、電子機器の小型化のニーズが高まる状況下、音響ユニットの小型化が進んでいる。昨今の小型化された音響ユニットは、音圧等、従来と同等の音響特性を発揮することができるようになってきている。
【０００８】
ところが、従来と同様の音響特性を発揮できる小型化された音響ユニットが電子機器に搭載されるようになると、シート部材１０４に対する要求との関係で以下のような不都合が生じる。この不都合につき、図９を参照しつつ説明する。図９は、図８における音響ユニット１０３に代えて、この音響ユニット１０３よりも小型化された音響ユニット２０３を外部ケース１０１内に内蔵した状態の断面を示す説明図である。音響ユニット２０３は、音響ユニット１０３と同等の音響特性を有する。
【０００９】
小型化された音響ユニット２０３を用いた場合、シート部材１０４には、従来と同等の面積を有することが求められる。このため、シート部材１０４は、図８に示したものと同一のものが用いられている。シート部材１０４の外周部には取り付け部１０５が周状に設けられており、この点も、図８に示したものと同一である。
【００１０】
このように従来と同一のシート部材１０４を用いると、小型化された音響ユニット２０３は、周状に設けられた取り付け部１０５の内側に位置してしまうことがある。このような状態では、取り付け部１０５に音響ユニット２０３を取り付けることができない。具体的には、音響ユニット２０３が有する放音や集音のための孔２０３ａを塞がないようにその外周に配置された両面テープ１０６が直接シート部材１０４に触れてしまう。この結果、シート部材１０４の破れや破損を招くおそれがある。シート部材１０４に破れや破損が生じれば、適切な防水効果を維持することができないという問題が生じる。
【００１１】
本発明は、上記問題に鑑みてなされたものである。その目的は、所望の音響特性を維持しつつ、適切な防水効果を維持することができる電子機器を提供することにある。
【課題を解決するための手段】
【００１２】
上記課題を解決するための本明細書開示の電子機器は、音響孔が設けられた外部ケースと、前記音響孔が設けられた位置に対応させて前記外部ケース内に内蔵される音響ユニットとを有する。さらに、前記音響孔が設けられた位置に対応させて前記音響ユニットと前記外部ケースとの間に配置されるシート部材を有する。このシート部材は、前記音響ユニットと重ねた状態で前記音響ユニットの外縁よりも外側まで覆う。さらに、本明細書開示の電子機器は、当該シート部材の外周部に周状に設けられ、前記外部ケースに取り付けられる取り付け部を有している。また、前記シート部材の前記音響ユニットと対向する側において前記取り付け部をその内周に向かって延長し、前記音響ユニットが取り付けられる延長部を備えている。
【００１３】
前記のように延長部を備えることにより、シート部材の所望の面積を確保しつつ、小型化された音響ユニットを取り付け部へ装着することができる。音響ユニットは、シート部材へ接触することがないので、シート部材の破れや破損を回避することができる。シート部材の破れや破損が回避されることにより、電子機器の防水効果が維持される。また、シート部材は、所望の面積を確保することができるので、音響ユニットの有する音響特性を発揮することがで、電子機器の音響特性も維持することができる。
【発明の効果】
【００１４】
本明細書開示の電子機器によれば、所望の音響特性を維持しつつ、適切な防水効果を維持することができる。
【発明を実施するための最良の形態】
【００１５】
以下、本発明の最良の実施形態について、添付図面を参照しつつ説明する。ただし、図面中、各部の寸法、比率等は、実際のものと完全に一致するようには図示されていない場合がある。また、図面によっては細部が省略されている場合もある。
【実施例１】
【００１６】
図１及び図２は、電子機器の一例である本実施例の携帯電話機１の外観図である。図１は、携帯電話機１を背面側から観た図、図２は、使用時に使用者側に向く正面側から携帯電話機１を観た図である。携帯電話機１は、固定部２と可動部３を有している。固定部２と可動部３とは、ヒンジ部４によって結合されている。これにより、携帯電話機１は、図１や図２に示すように、可動部３を固定部２に対して開いた状態とすることができる。また、携帯電話機１は、固定部２と可動部３とが重なるように折り畳むことができる。
【００１７】
まず、固定部２について説明する。図３は、固定部２を分解して示した説明図である。固定部２は、フロントケース５ａとリアケース５ｂを組み合わせて形成される外部ケースを有している。フロントケース５ａとリアケース５ｂとはビス止め部１９をビス１９ａで止めることによって外部ケースを形成する。リアケース５ｂには、３つの音響孔１７が設けられている。フロントケース５ａには、図２で説明するように各種の操作ボタン６ａが配置された操作面６が設けられている。フロントケース５ａ内には、音響孔１７が設けられた位置に対応させてスピーカユニット１５が内蔵されている。フロントケース５ａ内には、第１基板ユニット７が内蔵されている。また、フロントケース５ａ内には、バッテリ搭載部８が形成されるとともに、このバッテリ搭載部８に搭載されるバッテリが接続されるバッテリコネクタ９が設けられている。さらに、フロントケース５ａ内にはカメラユニット１０が内蔵されており、このカメラユニット１０の搭載位置に対応させて、リアケース５ｂにレンズ孔１８が形成されている。カメラユニット１０の側方には、スピーカユニット搭載部１１が形成されており、このスピーカユニット搭載部１１にスピーカユニット１５が搭載されている。ここで、スピーカユニット１５は、本発明における音響ユニットに相当する。
【００１８】
図４（Ａ）は、組み立てた状態の固定部２を図１及び図３におけるＡ−Ａ線に対応する位置で断面とした説明図である。図４（Ｂ）は、図４（Ａ）に現れた構成要素を分解した状態で示した説明図である。
図３、図４（Ａ）、図４（Ｂ）が説明するように、携帯電話機１の固定部２は、その内部にシート部材１２を備えている。シート部材１２は、撥水素材により形成されている。具体的には、４フッ化エチレンを多孔質化してシート状に形成して用いている。このようなシート部材１２は、空気の通過は許容するが、水の通過は遮断する。シート部材１２は、空気を通過させることができ、水の浸入を遮断できるものであれば、他の素材を用いて形成することもできる。シート部材１２は、スピーカユニット１４の音圧等の音響特性に基づいて、その最低限必要な面積が定められる。本実施例におけるシート部材１２は、スピーカユニット１２の音響特性を十分に発揮することができる面積が確保されている。
【００１９】
シート部材１２は、図４（Ａ）が説明するように、音響孔１７が設けられた位置に対応させてスピーカユニット１５と外部ケースを形成するリアケース５ｂとの間に配置されている。このシート部材１２は、スピーカユニット１５と重ねた状態でスピーカユニット１５の外縁よりも外側まで覆っている。
スピーカユニット１５の大きさとシート部材１２の面積とのこのような関係は、スピーカユニット１５が良好な音響特性を維持しつつ小型化されたことに起因している。すなわち、小型高性能のスピーカユニットでは、自らを覆うような面積を有するシート部材が必要となることからこのような関係が生じている。
【００２０】
このようなシート部材１２の外周部には、外部ケースを形成するリアケース５ｂに取り付けられる取り付け部１３が周状に設けられている。この取り付け部１３は、シート部材１２の外周部に緩衝材の一例であるクッション材が張り合わされて形成されている。そして、この取り付け部１３がリアケース５ｂの内周面に密着するように取り付けられている。取り付け部１３は、クッション材に代えて硬質材によって形成することもできる。取り付け部１３は、シート部材１２をリアケース５ｂに装着する際の介在部となる。このため、取り付け部１３は、シート部材１２の外周部に周状に設けられている。取り付け部１３は、防水機能を確保すべく、シート部材１２の外周部の全周に亘って設けられている。このようにシート部材１２の外周部にその全周に亘って設けられた取り付け部１３は、スピーカユニット１５の音漏れを防止する機能も担っている。
【００２１】
このような取り付け部１３には、第１の延長部材１４が取り付けられている。具体的には、固定部２は、シート部材１２のスピーカユニット１５と対向する側において取り付け部１３をその内周に向かって延長する第１の延長部材１４を有している。この第１の延長部材１４には、スピーカユニット１５が取り付けられる。
【００２２】
第１の延長部材１４は、板金によって形成された周状板体であり、本発明における延長部を形成する。すなわち、延長部は周状板体によって形成されている。板金によって成形された第１の延長部材１４は、必要な強度を確保しつつ、薄く形成されている。第１の延長部材１４は、取り付け爪１４ａを有しており、この取り付け爪１４ａによってスピーカユニット搭載部１１に固定されている。
【００２３】
周状板体である第１の延長部材１４の外周部表面１４１は取り付け部１３に取り付けられ、内周部裏面１４２はスピーカユニット１５に取り付けられている。このとき、第１の延長部材１４と取り付け部１３との間には、緩衝材の一例である両面テープ３１が介在している。また、第１の延長部材１４とスピーカユニット１５との間にも、緩衝材の一例である両面テープ１６が介在している。両面テープ１６、３１は、接着機能を得るだけでなく、スピーカユニット１５の周囲の密閉性を高め、スピーカユニット１５における音漏れを抑制する。両面テープ１６は、スピーカユニット１５が有する放音のための孔が設けられた放音部１５ａを塞がないようスピーカユニット１５の外周に配置される。なお、両面テープ１６に代えて、クッション材が用いられることもある。また、第１の延長部材１４と取り付け部１３との接合、第１の延長部材１４とスピーカユニット１５との接合には、接着剤を用いることもできる。
【００２４】
このように第１の延長部材１４を備えていることにより、小型化されたスピーカユニット１５は、シート部材１２に直接接触することがない。この結果、シート部材１２の破れや破損を回避し、固定部２における防水効果を維持することができる。また、上述のようにシート部材１２は、スピーカユニット１５の音響特性を十分に発揮することができる面積が確保されている。ここで、第１の延長部材１４とシート部材１２とは直接接触しておらず、第１の延長部材１４とシート部材１２との間には隙間が形成されている。このため、音響特性に影響を及ぼすシート部材１２の面積は狭められていない。従って、第１の延長部材１４は、スピーカユニット１５の音響特性を阻害していない。
【００２５】
以上のように固定部２の防水効果は確保され、携帯電話１の音響効果も維持されている。
【００２６】
次に、可動部３について説明する。図５は、可動部３を分解して示した説明図である。可動部３は、フロントケース２０ａとリアケース２０ｂを組み合わせて形成される外部ケースを有している。フロントケース２０ａの表面には、クリアーカバー２０ｃが装着されている。フロントケース２０ａとリアケース２０ｂとはビス止め部３０をビスで止めることによって外部ケースを形成する。フロントケース２０ａには、音響孔２３が設けられている。さらに、クリアーカバー２０ｃには、音響孔２３の位置に対応させて音響孔３１が設けられている。音響孔２３、音響孔３１は、図２に示すように携帯電話機１を開いた状態としたときに、上側となる位置に設けられている。
フロントケース２０ａには、主ディスプレイユニット２１が搭載されている。フロントケース２０ａ内には、音響孔２３が設けられた位置に対応させてレシーバユニット２７が内蔵されている。レシーバユニット２７は、本発明における音響ユニットに相当する。レシーバユニット２７は、フレキシブル基板２８に装着されている。レシーバユニット２７は、バネ接点２７ｂを有しており、このバネ接点２７ｂがフレキシブル基板２８に接触した状態となる。フロントケース２０ａ内には第２基板ユニット２９が内蔵されている。この第２基板ユニット２９には、フレキシブル基板２８が接続されている。リアケース２０ｂは、副ディスプレイユニット２２を有している。
【００２７】
図６（Ａ）は、組み立てた状態の可動部３を図２及び図５におけるＢ−Ｂ線に対応する位置で断面とした説明図である。図６（Ｂ）は、図６（Ａ）に現れた構成要素を分解した状態で示した説明図である。
図５、図６（Ａ）、図６（Ｂ）が説明するように、携帯電話機１の可動部３は、その内部にシート部材２４を備えている。シート部材２４は、上記のシート部材１２と同様に撥水素材により形成されている。具体的には、４フッ化エチレンを多孔質化してシート状に形成して用いている。このようなシート部材２４は、空気の通過は許容するが、水の通過は遮断する。シート部材２４は、空気を通過させることができ、水の浸入を遮断できるものであれば、他の素材を用いて形成することもできる。シート部材２４は、レシーバユニット２７の音圧等の音響特性に基づいて、その最低限必要な面積が定められる。本実施例におけるシート部材２４は、レシーバユニット２７の音響特性を十分に発揮することができる面積が確保されている。
【００２８】
シート部材２４は、図６（Ａ）が説明するように、音響孔２３及び音響孔３１が設けられた位置に対応させてレシーバユニット２７と外部ケースを形成するフロントケース２０ａとの間に配置されている。このシート部材２４は、レシーバユニット２７と重ねた状態でレシーバユニット２７の外縁よりも外側まで覆っている。
レシーバユニット２７の大きさとシート部材２４の面積とのこのような関係は、レシーバユニット２７が良好な音響特性を維持しつつ小型化されたことに起因している。すなわち、小型高性能のレシーバユニットでは、自らを覆うような面積を有するシート部材が必要となることからこのような関係が生じている。
【００２９】
このようなシート部材２４の外周部には、外部ケースを形成するフロントケース２０ａに取り付けられる取り付け部２５が周状に設けられている。この取り付け部２５は、シート部材２４の外周部に緩衝材の一例であるクッション材が張り合わされて形成されている。そして、この取り付け部２５がフロントケース２０ａの内周面に密着するように取り付けられている。取り付け部２５は、クッション材に代えて硬質材によって形成することもできる。取り付け部２５は、シート部材２４をフロントケース２０ａに装着する際の介在部となる。このため、取り付け部材２５は、シート部材２４の外周部に周状に設けられている。取り付け部２５は、防水機能を確保すべく、シート部材２４の外周部の全周に亘って設けられている。このようにシート部材２４の外周部にその全周に亘って設けられた取り付け部２５は、レシーバユニット２７の音漏れを防止する機能も担っている。
【００３０】
このような取り付け部２５には、第２の延長部材２６が取り付けられている。具体的には、可動部３は、シート部材２４のレシーバユニット２７と対向する側において取り付け部２５をその内周に向かって延長する第２の延長部材２６を有している。この第２の延長部材２６には、レシーバユニット２７が取り付けられる。
【００３１】
第２の延長部材２６は、板金によって形成された周状板体であり、本発明における延長部を形成する。すなわち、延長部は周状板体によって形成されている。板金によって成形された第２の延長部材２６は、必要な強度を確保しつつ、薄く形成されている。第２の延長部材２６は、取り付け片２６ａを有しており、この取り付け片２６ａによってフレキシブル基板２８に固定されている。
【００３２】
周状板体である第２の延長部材２６の外周部表面２６１は取り付け部２５に取り付けられ、内周部裏面２６２はレシーバユニット２７に取り付けられている。このとき、第２の延長部材２６と取り付け部２５との間には、緩衝材の一例である両面テープ３３が介在している。また、第２の延長部材２６とレシーバユニット２７との間にも、緩衝材の一例である両面テープ３２が介在している。両面テープ３２、３３は、接着機能を得るだけでなく、レシーバユニット２７の周囲の密閉性を高め、レシーバユニット２７における音漏れを抑制する。両面テープ３２は、レシーバユニット２７の放音部２７ａを塞がないようレシーバユニット２７の外周に配置される。なお、両面テープ３２に代えて、クッション材が用いられることもある。また、第２の延長部材２６と取り付け部２５との接合、延長部２５とレシーバユニット２７との接合には、接着剤を用いることもできる。
【００３３】
このように第２の延長部材２６を備えていることにより、小型化されたレシーバユニット２７は、シート部材２４に直接接触することがない。この結果、シート部材２４の破れや破損を回避し、可動部３における防水効果を維持することができる。また、上述のようにシート部材２６は、レシーバユニット２７の音響特性を十分に発揮することができる面積が確保されている。ここで、第２の延長部材２６とシート部材２４とは直接接触しておらず、第２の延長部材２６とシート部材２４との間には隙間が形成されている。このため、音響特性に影響を及ぼすシート部材２４の面積は狭められていない。従って、第２の延長部材２６は、レシーバユニット２７の音響特性を阻害していない。
【００３４】
以上のように可動部３の防水効果は確保され、携帯電話１の音響効果も維持されている。
【００３５】
以上説明したように、本実施例の携帯電話機１は、音響ユニットを防水するときに、撥水性のシート部材の取り付け部に延長部を設けたので、シート部材の面積を確保しつつ、防水効果を維持することができる。すなわち、小型の音響ユニットを採用しても、その音響ユニットがシート部材に直接接触することがなく、シート部材に破れや破損を回避することができる。シート部材の破れや破損が回避されることにより、電子機器の防水効果が維持される。
【００３６】
なお、同様の防水対策は、マイクユニットにも施すことができる。要は、外部ケースに放音孔を有し、シート部材を配して防水対策としている箇所に適用することができる。
【００３７】
第１の延長部材１４や第２の延長部材２６は、取り付け部１３や取り付け部２５と別体として設けることにより、汎用性のある音響ユニットにも適用することができる。
【実施例２】
【００３８】
次に、実施例２について、図７を参照しつつ説明する。図７は、実施例１における図４（Ａ）に相当する図であり、断面とした固定部２の一部を示す説明図である。
実施例２が実施例１と異なる点は、両面テープ１６に代えて、クッション材３５を用いた点と、スピーカユニット１５とフロントケース５ａとの間に板体３４を介在させた点である。クッション材３は、両面テープ１６と異なり、接着性は有していない。
【００３９】
フロントケース５ａとリアケース５ｂとは、図７で説明するようにビス止め部１９をビス１９ａで締結することによって組み立てられている。そこで、スピーカユニット１５とフロントケース５ａとの間に板体３４を介在させることにより、スピーカユニット１５をリアケース５ｂ側へ押し付ける。これにより、スピーカユニット１５と第１の延長部材１４との密着性を確保することができる。このような構成としても、スピーカユニット１５の周囲の密閉性を高め、スピーカユニット１５における音漏れを抑制することができる。
【００４０】
以上本発明の好ましい実施例について詳述したが、本発明は係る特定の実施例に限定されるものではなく、特許請求の範囲に記載された本発明の要旨の範囲内において、種々の変形、変更が可能である。
【００４１】
例えば、上記実施例では、電子機器の一例として携帯電話の例を挙げているが、電子機器は、例えば、Ｐｅｒｓｏｎａｌ Ｄｉｇｉｔａｌ Ａｓｓｉｓｔａｎｔｓ（ＰＤＡ）、ゲーム機などであってもよい。すなわち、外部ケース内部に音響ユニットを内蔵し、外部ケース内部の防水が求められる電子機器であれば適用することができる。
【図面の簡単な説明】
【００４２】
【図１】図１は、実施例１の携帯電話機の外観図である。
【図２】図２は、実施例１の携帯電話機の外観図である。
【図３】図３は、固定部を分解して示した説明図である。
【図４】図４（Ａ）は、組み立てた状態の固定部を図１及び図３におけるＡ−Ａ線に対応する位置で断面とした説明図である。図４（Ｂ）は、図４（Ａ）に現れた構成要素を分解した状態で示した説明図である。
【図５】図５は、可動部を分解して示した説明図である。
【図６】図６（Ａ）は、組み立てた状態の可動部を図２及び図５におけるＢ−Ｂ線に対応する位置で断面とした説明図である。図６（Ｂ）は、図６（Ａ）に現れた構成要素を分解した状態で示した説明図である。
【図７】図７は、実施例２の固定部の断面図である。
【図８】図８は、従来例の説明図である。
【図９】図９は、従来例における問題点の説明図である。
【符号の説明】
【００４３】
１…携帯電話機                  ２…固定部
３…可動部                      ４…ヒンジ部
５ａ  固定部のフロントケース    ５ｂ  固定部のリアケース
１１…音響ユニット搭載部        １２，２４…シート部材
１３，２５…取り付け部          １４…第１の延長部材
１５…スピーカユニット          １６，３１，３２，３３…両面テープ
１７，２３，３１…音響孔        ２０ａ…可動部のフロントケース
２０ｂ…可動部のリアケース      ２０ｃ…クリアーカバー
２６…第２の延長部材            ２７  レシーバ
【図１】
2010109849.tif 000003
【図２】
2010109849.tif 000004
【図３】
2010109849.tif 000005
【図４】
2010109849.tif 000006
【図５】
2010109849.tif 000007
【図６】
2010109849.tif 000008
【図７】
2010109849.tif 000009
【図８】
2010109849.tif 000010
【図９】
2010109849.tif 000011